(57)【要約】【課題】映像再生時に、適切なタイミングで関連コンテンツを自動的に配信する。【解決手段】映像再生装置と端末とが同じネットワーク内に存在するときに、自動的にセッションを開始する。次に、映像再生装置は、セッション内で、再生中の映像コンテンツの切り替わりを検出したときに、関連情報を端末に送信する。端末は、関連情報を受信し、受信した関連情報に基づいて、連携コンテンツ情報をコンテンツ関連サーバから検索する。そして、連携コンテンツ情報を取得し、コンテンツ配信サーバから連携コンテンツを取得する。【選択図】図９
2012199846.tif 000002
【特許請求の範囲】
【請求項１】
映像再生装置と、端末と、映像と連携した連携コンテンツに関する情報を配信するコンテンツ関連サーバと、映像と連携した連携コンテンツを配信するコンテンツ配信サーバとからなるコンテンツ配信システムであって、
前記映像再生装置が、
前記端末と同じネットワーク内に存在するときに、自動的にセッションを開始する第１の通信手段と、
前記セッション内で、再生中の映像コンテンツの切り替わりを検出する切替検出手段と、
該再生中の映像コンテンツの切り替わりを検出したときに、該切り替わった映像コンテンツの関連情報を前記端末に送信する送信手段と、
を備え、
前記端末が、
前記映像再生装置と同じネットワーク内に存在するときに、自動的にセッションを開始する第２の通信手段と、
前記映像再生装置から切り替わった映像コンテンツの関連情報を受信する受信手段と、
該受信した切り替わった映像コンテンツの関連情報に基づいて、連携コンテンツ情報を前記コンテンツ関連サーバから検索する検索手段と、
該検索した連携コンテンツ情報を取得するコンテンツ情報取得手段と、
該取得したコンテンツ情報に基づいて、前記コンテンツ配信サーバから連携コンテンツを取得する連携コンテンツ取得手段と、
を備えたことを特徴とするコンテンツ配信システム。
【請求項２】
前記第１の通信手段および第２の通信手段が、近距離無線であることを特徴とする請求項１に記載のコンテンツ配信システム。
【請求項３】
前記第１の通信手段および第２の通信手段の通信プロトコルが、無線ＬＡＮであることを特徴とする請求項１に記載のコンテンツ配信システム。
【請求項４】
前記第１の通信手段および第２の通信手段の通信プロトコルが、通信相手との関係がパブリッシュ−サブスクライブモデルの通信プロトコルであることを特徴とする請求項１に記載のコンテンツ配信システム。
【請求項５】
前記第１の通信手段および第２の通信手段の通信プロトコルが、通信相手を予め設定するクライアント−サーバモデルの通信プロトコルであることを特徴とする請求項１に記載のコンテンツ配信システム。
【請求項６】
前記第２の通信手段が、ゲートウェイを用いて、強制的に前記映像再生装置のアドレスへリダイレクトさせることを特徴とする請求項１に記載のコンテンツ配信システム。
【請求項７】
前記再生中の映像コンテンツが、映像リアルタイム放送の場合に、前記映像再生装置が、前記映像コンテンツの関連情報として、そのチャンネル情報を取得する関連情報取得手段を備えたことを特徴とする請求項１に記載のコンテンツ配信システム。
【請求項８】
前記関連情報取得手段は、前記再生中の映像コンテンツが、インターネットコンテンツである場合に、再生中のＵＲＬと再生位置時刻情報とを取得することを特徴とする請求項６に記載のコンテンツ配信システム。
【請求項９】
前記関連情報取得手段は、前記再生中の映像コンテンツが、録画コンテンツである場合に、そのコンテンツＩＤと再生位置とを取得することを特徴とする請求項７に記載のコンテンツ配信システム。
【請求項１０】
前記端末が、前記映像再生装置に問い合わせを行う問い合わせ手段を備え、
該問い合わせを行ったときに、前記映像再生装置から切り替わった映像コンテンツの関連情報を受信することを特徴とする請求項１に記載のコンテンツ配信システム。
【請求項１１】
前記連携コンテンツ取得手段が取得するコンテンツが、Ｗｅｂページであることを特徴とする請求項１に記載のコンテンツ配信システム。
【請求項１２】
前記連携コンテンツ取得手段が取得するコンテンツが、映像コンテンツであることを特徴とする請求項１に記載のコンテンツ配信システム。
【請求項１３】
前記連携コンテンツ取得手段が取得するコンテンツが、アプリケーションであることを特徴とする請求項１に記載のコンテンツ配信システム。
【請求項１４】
映像再生装置と、端末と、映像と連携した連携コンテンツに関する情報を配信するコンテンツ関連サーバと、映像と連携した連携コンテンツを配信するコンテンツ配信サーバとからなるコンテンツ配信システムにおけるコンテンツ配信方法であって、
前記映像再生装置と前記端末とが同じネットワーク内に存在するときに、自動的にセッションを開始する第１のステップと、
前記映像再生装置が、前記セッション内で、再生中の映像コンテンツの切り替わりを検出する第２のステップと、
前記映像再生装置が、該再生中の映像コンテンツの切り替わりを検出したときに、該切り替わった映像コンテンツの関連情報を前記端末に送信する第３のステップと、
前記端末が、前記映像再生装置から切り替わった映像コンテンツの関連情報を受信する第４のステップと、
前記端末が、該受信した切り替わった映像コンテンツの関連情報に基づいて、連携コンテンツ情報を前記コンテンツ関連サーバから検索する第５のステップと、
前記端末が、該検索した連携コンテンツ情報を取得する第６のステップと、
前記端末が、該取得したコンテンツ情報に基づいて、前記コンテンツ配信サーバから連携コンテンツを取得する第７のステップと、
を備えたことを特徴とするコンテンツ配信方法。
【請求項１５】
映像再生装置と、端末と、映像と連携した連携コンテンツに関する情報を配信するコンテンツ関連サーバと、映像と連携した連携コンテンツを配信するコンテンツ配信サーバとからなるコンテンツ配信システムにおけるコンテンツ配信方法をコンピュータに実行させるためのプログラムであって、
前記映像再生装置と前記端末とが同じネットワーク内に存在するときに、自動的にセッションを開始する第１のステップと、
前記映像再生装置が、前記セッション内で、再生中の映像コンテンツの切り替わりを検出する第２のステップと、
前記映像再生装置が、該再生中の映像コンテンツの切り替わりを検出したときに、該切り替わった映像コンテンツの関連情報を前記端末に送信する第３のステップと、
前記端末が、前記映像再生装置から切り替わった映像コンテンツの関連情報を受信する第４のステップと、
前記端末が、該受信した切り替わった映像コンテンツの関連情報に基づいて、連携コンテンツ情報を前記コンテンツ関連サーバから検索する第５のステップと、
前記端末が、該検索した連携コンテンツ情報を取得する第６のステップと、
前記端末が、該取得したコンテンツ情報に基づいて、前記コンテンツ配信サーバから連携コンテンツを取得する第７のステップと、
をコンピュータに実行させるためのプログラム。
【発明の詳細な説明】
【技術分野】
【０００１】
本発明は、映像再生時に、適切なタイミングで関連コンテンツを自動的に配信するコンテンツ配信システム、コンテンツ配信方法およびプログラムに関する。
【背景技術】
【０００２】
従来、映像再生時の連携コンテンツの配信方法としては、例えば、映像再生装置の画面上に、映像再生時の連携コンテンツに対応するＱＲコードを表示し、ユーザが携帯端末等により、このＱＲコードを読み取り、連携コンテンツにアクセスする方法等が知られている。
【０００３】
また、メディアにおいて提示される内容と連係した情報を、パソコン、携帯電話等のユーザ端末機の表示装置に、インターネットを介して表示するメディア連動インターネットコンテンツ表示システムに関する技術が開示されている。このシステムは、メディアの放送ないし配布される地域およびサービス時間帯ごとの表示コンテンツとユーザが選択すべきボタン番号とホームページＵＲＬとを予め登録し、本システムを利用するユーザのユーザ端末機からのユーザ地域を特定するコードおよびボタン番号に基づいて、ユーザ端末機を登録された対応するホームページのＵＲＬに接続する（例えば、特許文献１参照。）。
【０００４】
さらに、広告依頼主が情報センターに広告に関する情報を登録すると、情報センターは、接続先及び接続形態（ＷＷＷサーバにおけるＷｅｂサイトのＵＲＬ、フリーダイアルなど）を示す接続情報が含まれる広告内容識別情報を広告依頼主に付与する。広告依頼主は、広告内容識別情報を示すＱＲコードを広告媒体に印刷するように広告主に依頼する。広告を見た利用者が広告に関する情報を知りたいときは、撮影機能を備えた携帯電話機によりＱＲコードを撮影する。そのため、携帯電話機は、ＱＲコードが示す接続情報に基づいて情報センターにアクセスするので、利用者は、接続形態にかかわらず情報センターに簡単にアクセスして広告に関する情報を入手することができる技術が開示されている（例えば、特許文献２参照。）。
【先行技術文献】
【特許文献】
【０００５】
【特許文献１】特開２００２−３１２６７９号公報
【特許文献２】特開２００２−１１８６８０号公報
【発明の概要】
【発明が解決しようとする課題】
【０００６】
しかしながら、上記の従来の技術では、必要な情報を手元の端末で得るためにユーザが何らかの煩わしい操作を行う必要があり、手間を強いるという問題があった。
【０００７】
そこで、本発明は、上述の課題に鑑みてなされたものであり、映像再生時に、適切なタイミングで関連コンテンツを自動的に配信するコンテンツ配信システム、コンテンツ配信方法およびプログラムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、映像再生装置（例えば、図１の映像再生装置１００に相当）と、端末（例えば、図１の端末２００に相当）と、映像と連携した連携コンテンツに関する情報を配信するコンテンツ関連サーバ（例えば、図１のコンテンツ関連サーバ３００に相当）と、映像と連携した連携コンテンツを配信するコンテンツ配信サーバ（例えば、図１のコンテンツ配信サーバ４００に相当）とからなるコンテンツ配信システムであって、前記映像再生装置が、前記端末と同じネットワーク内に存在するときに、自動的にセッションを開始する第１の通信手段（例えば、図２の通信部１１０に相当）と、前記セッション内で、再生中の映像コンテンツの切り替わりを検出する切替検出手段（例えば、図２の切替検出部１２０に相当）と、該再生中の映像コンテンツの切り替わりを検出したときに、該切り替わった映像コンテンツの関連情報を前記端末に送信する送信手段（例えば、図２の送信部１４０に相当）と、を備え、前記端末が、前記映像再生装置と同じネットワーク内に存在するときに、自動的にセッションを開始する第２の通信手段（例えば、図４の通信部２１０に相当）と、前記映像再生装置から切り替わった映像コンテンツの関連情報を受信する受信手段（例えば、図４の受信部２２０に相当）と、該受信した切り替わった映像コンテンツの関連情報に基づいて、連携コンテンツ情報を前記コンテンツ関連サーバから検索する検索手段（例えば、図４の検索部２３０に相当）と、該検索した連携コンテンツ情報を取得するコンテンツ情報取得手段（例えば、図４のコンテンツ情報取得部２４０に相当）と、該取得したコンテンツ情報に基づいて、前記コンテンツ配信サーバから連携コンテンツを取得する連携コンテンツ取得手段（例えば、図４の連携コンテンツ取得部２５０に相当）と、を備えたことを特徴とするコンテンツ配信システムを提案している。
【００１０】
この発明によれば、映像再生装置の第１の通信手段は、端末と同じネットワーク内に存在するときに、自動的にセッションを開始する。切替検出手段は、セッション内で、再生中の映像コンテンツの切り替わりを検出する。送信手段は、再生中の映像コンテンツの切り替わりを検出したときに、切り替わった映像コンテンツの関連情報を端末に送信する。端末の第２の通信手段は、映像再生装置と同じネットワーク内に存在するときに、自動的にセッションを開始する。受信手段は、映像再生装置から切り替わった映像コンテンツの関連情報を受信する。検索手段は、受信した切り替わった映像コンテンツの関連情報に基づいて、連携コンテンツ情報をコンテンツ関連サーバから検索する。コンテンツ情報取得手段は、検索した連携コンテンツ情報を取得する。連携コンテンツ取得手段は、取得したコンテンツ情報に基づいて、コンテンツ配信サーバから連携コンテンツを取得する。したがって、映像再生時に、適切なタイミングで関連コンテンツを自動的に配信することができる。
【００１１】
（２）本発明は、（１）のコンテンツ配信システムについて、前記第１の通信手段および第２の通信手段が、近距離無線であることを特徴とするコンテンツ配信システムを提案している。
【００１２】
この発明によれば、第１の通信手段および第２の通信手段が、近距離無線である。したがって、映像再生装置との距離が通信エリアに入った端末について、映像再生時に、適切なタイミングで関連コンテンツを自動的に配信することができる。
【００１３】
（３）本発明は、（１）のコンテンツ配信システムについて、前記第１の通信手段および第２の通信手段の通信プロトコルが、無線ＬＡＮであることを特徴とするコンテンツ配信システムを提案している。
【００１４】
この発明によれば、第１の通信手段および第２の通信手段の通信プロトコルが、無線ＬＡＮである。したがって、映像再生装置との距離が通信エリアに入った端末について、映像再生時に、適切なタイミングで関連コンテンツを自動的に配信することができる。
【００１５】
（４）本発明は、（１）のコンテンツ配信システムについて、前記第１の通信手段および第２の通信手段の通信プロトコルが、通信相手を予め設定しないパブリッシュ−サブスクライブモデルの通信プロトコルであることを特徴とするコンテンツ配信システムを提案している。
【００１６】
この発明によれば、第１の通信手段および第２の通信手段の通信プロトコルが、通信相手を予め設定しないパブリッシュ−サブスクライブモデルの通信プロトコルである。したがって、予め設定しなくてもよい通信相手に対して、映像再生時に、適切なタイミングで関連コンテンツを自動的に配信することができる。
【００１７】
（５）本発明は、（１）のコンテンツ配信システムについて、前記第１の通信手段および第２の通信手段の通信プロトコルが、通信相手を予め設定するクライアント−サーバモデルの通信プロトコルであることを特徴とするコンテンツ配信システムを提案している。
【００１８】
この発明によれば、第１の通信手段および第２の通信手段の通信プロトコルが、通信相手を予め設定するクライアント−サーバモデルの通信プロトコルである。したがって、予め設定した通信相手に対して、映像再生時に、適切なタイミングで関連コンテンツを自動的に配信することができる。
【００１９】
（６）本発明は、（１）のコンテンツ配信システムについて、前記第２の通信手段が、ゲートウェイを用いて、強制的に前記映像再生装置のアドレスへリダイレクトさせることを特徴とするコンテンツ配信システムを提案している。
【００２０】
この発明によれば、第２の通信手段が、ゲートウェイを用いて、強制的に映像再生装置のアドレスへリダイレクトさせる。したがって、映像再生装置とセッションを確立することにより、映像再生時に、適切なタイミングで関連コンテンツを自動的に配信することができる。
【００２１】
（７）本発明は、（１）のコンテンツ配信システムについて、前記再生中の映像コンテンツが、映像リアルタイム放送の場合に、前記映像再生装置が、前記映像コンテンツの関連情報として、そのチャンネル情報を取得する関連情報取得手段を備えたことを特徴とするコンテンツ配信システムを提案している。
【００２２】
この発明によれば、再生中の映像コンテンツが、映像リアルタイム放送の場合に、映像再生装置が、映像コンテンツの関連情報として、そのチャンネル情報を取得する。したがって、チャンネル情報を取得することにより、映像再生時に、適切なタイミングで関連コンテンツを自動的に配信することができる。
【００２３】
（８）本発明は、（７）のコンテンツ配信システムについて、前記関連情報取得手段は、前記再生中の映像コンテンツが、インターネットコンテンツである場合に、再生中のＵＲＬと再生位置時刻情報とを取得することを特徴とするコンテンツ配信システムを提案している。
【００２４】
この発明によれば、関連情報取得手段が、再生中の映像コンテンツが、インターネットコンテンツである場合に、再生中のＵＲＬと再生位置時刻情報とを取得する。したがって、再生中のＵＲＬと再生位置時刻情報とを取得することにより、映像再生時に、適切なタイミングで関連コンテンツを自動的に配信することができる。
【００２５】
（９）本発明は、（７）のコンテンツ配信システムについて、前記関連情報取得手段は、前記再生中の映像コンテンツが、録画コンテンツである場合に、そのコンテンツＩＤと再生位置とを取得することを特徴とするコンテンツ配信システムを提案している。
【００２６】
この発明によれば、関連情報取得手段が、再生中の映像コンテンツが、録画コンテンツである場合に、そのコンテンツＩＤと再生位置とを取得する。したがって、コンテンツＩＤと再生位置とを取得することにより、映像再生時に、適切なタイミングで関連コンテンツを自動的に配信することができる。
【００２７】
（１０）本発明は、（１）のコンテンツ配信システムについて、前記端末が、前記映像再生装置に問い合わせを行う問い合わせ手段を備え、該問い合わせを行ったときに、前記映像再生装置から切り替わった映像コンテンツの関連情報を受信することを特徴とするコンテンツ配信システムを提案している。
【００２８】
この発明によれば、端末が、映像再生装置に問い合わせを行ったときに、映像再生装置から切り替わった映像コンテンツの関連情報を受信する。したがって、端末からの問い合わせのタイミングで映像再生時に、関連コンテンツを自動的に配信することができる。
【００２９】
（１１）本発明は、（１）のコンテンツ配信システムについて、前記連携コンテンツ取得手段が取得するコンテンツが、Ｗｅｂページであることを特徴とするコンテンツ配信システムを提案している。
【００３０】
この発明によれば、連携コンテンツ取得手段が取得するコンテンツが、Ｗｅｂページである。したがって、映像再生時に、適切なタイミングでＷｅｂページを自動的に配信することができる。
【００３１】
（１２）本発明は、（１）のコンテンツ配信システムについて、前記連携コンテンツ取得手段が取得するコンテンツが、映像コンテンツであることを特徴とするコンテンツ配信システムを提案している。
【００３２】
この発明によれば、連携コンテンツ取得手段が取得するコンテンツが、映像コンテンツである。したがって、映像再生時に、適切なタイミングで映像コンテンツを自動的に配信することができる。
【００３３】
（１３）本発明は、（１）のコンテンツ配信システムについて、前記連携コンテンツ取得手段が取得するコンテンツが、アプリケーションであることを特徴とするコンテンツ配信システムを提案している。
【００３４】
この発明によれば、連携コンテンツ取得手段が取得するコンテンツが、アプリケーションである。したがって、映像再生時に、適切なタイミングでアプリケーションを自動的に配信することができる。
【００３５】
（１４）本発明は、映像再生装置と、端末と、映像と連携した連携コンテンツに関する情報を配信するコンテンツ関連サーバと、映像と連携した連携コンテンツを配信するコンテンツ配信サーバとからなるコンテンツ配信システムにおけるコンテンツ配信方法であって、前記映像再生装置と前記端末とが同じネットワーク内に存在するときに、自動的にセッションを開始する第１のステップ（例えば、図９のステップＳ１０１に相当）と、前記映像再生装置が、前記セッション内で、再生中の映像コンテンツの切り替わりを検出する第２のステップ（例えば、図９のステップＳ１０２に相当）と、前記映像再生装置が、該再生中の映像コンテンツの切り替わりを検出したときに、該切り替わった映像コンテンツの関連情報を前記端末に送信する第３のステップ（例えば、図９のステップＳ１０３に相当）と、前記端末が、前記映像再生装置から切り替わった映像コンテンツの関連情報を受信する第４のステップ（例えば、図９のステップＳ１０４に相当）と、前記端末が、該受信した切り替わった映像コンテンツの関連情報に基づいて、連携コンテンツ情報を前記コンテンツ関連サーバから検索する第５のステップ（例えば、図９のステップＳ１０５に相当）と、前記端末が、該検索した連携コンテンツ情報を取得する第６のステップ（例えば、図９のステップＳ１０６に相当）と、前記端末が、該取得したコンテンツ情報に基づいて、前記コンテンツ配信サーバから連携コンテンツを取得する第７のステップ（例えば、図９のステップＳ１０７に相当）と、備えたことを特徴とするコンテンツ配信方法を提案している。
【００３６】
この発明によれば、映像再生装置と端末とが同じネットワーク内に存在するときに、自動的にセッションを開始する。次に、映像再生装置は、セッション内で、再生中の映像コンテンツの切り替わりを検出し、再生中の映像コンテンツの切り替わりを検出したときに、切り替わった映像コンテンツの関連情報を端末に送信する。端末は、映像再生装置から切り替わった映像コンテンツの関連情報を受信し、受信した切り替わった映像コンテンツの関連情報に基づいて、連携コンテンツ情報をコンテンツ関連サーバから検索する。そして、検索した連携コンテンツ情報を取得し、取得したコンテンツ情報に基づいて、コンテンツ配信サーバから連携コンテンツを取得する。したがって、映像再生時に、適切なタイミングで関連コンテンツを自動的に配信することができる。
【００３７】
（１５）本発明は、映像再生装置と、端末と、映像と連携した連携コンテンツに関する情報を配信するコンテンツ関連サーバと、映像と連携した連携コンテンツを配信するコンテンツ配信サーバとからなるコンテンツ配信システムにおけるコンテンツ配信方法をコンピュータに実行させるためのプログラムであって、前記映像再生装置と前記端末とが同じネットワーク内に存在するときに、自動的にセッションを開始する第１のステップ（例えば、図９のステップＳ１０１に相当）と、前記映像再生装置が、前記セッション内で、再生中の映像コンテンツの切り替わりを検出する第２のステップ（例えば、図９のステップＳ１０２に相当）と、前記映像再生装置が、該再生中の映像コンテンツの切り替わりを検出したときに、該切り替わった映像コンテンツの関連情報を前記端末に送信する第３のステップ（例えば、図９のステップＳ１０３に相当）と、前記端末が、前記映像再生装置から切り替わった映像コンテンツの関連情報を受信する第４のステップ（例えば、図９のステップＳ１０４に相当）と、前記端末が、該受信した切り替わった映像コンテンツの関連情報に基づいて、連携コンテンツ情報を前記コンテンツ関連サーバから検索する第５のステップ（例えば、図９のステップＳ１０５に相当）と、前記端末が、該検索した連携コンテンツ情報を取得する第６のステップ（例えば、図９のステップＳ１０６に相当）と、前記端末が、該取得したコンテンツ情報に基づいて、前記コンテンツ配信サーバから連携コンテンツを取得する第７のステップ（例えば、図９のステップＳ１０７に相当）と、をコンピュータに実行させるためのプログラムを提案している。
【００３８】
この発明によれば、映像再生装置と端末とが同じネットワーク内に存在するときに、自動的にセッションを開始する。次に、映像再生装置は、セッション内で、再生中の映像コンテンツの切り替わりを検出し、再生中の映像コンテンツの切り替わりを検出したときに、切り替わった映像コンテンツの関連情報を端末に送信する。端末は、映像再生装置から切り替わった映像コンテンツの関連情報を受信し、受信した切り替わった映像コンテンツの関連情報に基づいて、連携コンテンツ情報をコンテンツ関連サーバから検索する。そして、検索した連携コンテンツ情報を取得し、取得したコンテンツ情報に基づいて、コンテンツ配信サーバから連携コンテンツを取得する。したがって、映像再生時に、適切なタイミングで関連コンテンツを自動的に配信することができる。
【発明の効果】
【００３９】
本発明によれば、端末が映像再生装置と同じネットワークに参加するだけで、ユーザの手を煩わせることなく、再生中の映像コンテンツに対応するコンテンツを端末でダウンロードすることができるという効果がある。また、映像コンテンツに関連するコンテンツを映像コンテンツ作成と同時に製作する必要がないため、映像コンテンツに対応するコンテンツは誰でも作成できることからバラエティが広がるという効果がある。さらに、家庭内ＴＶだけでなく、学校のクラス内のＴＶや、街頭のＴＶや電子看板、各種店内のＴＶなど、人の集まる場所で映像に対するコンテンツを配信できるという効果がある。
【図面の簡単な説明】
【００４０】
【図１】本発明の実施形態に係るコンテンツ配信システムの構成を示す図である。
【図２】本発明の実施形態に係る映像再生装置の構成を示す図である。
【図３】本発明の実施形態に係る端末の構成を示す図である。
【図４】本発明の実施形態に係るコンテンツ関連サーバの構成を示した図である。
【図５】本発明の実施形態に係るコンテンツ関連サーバが有する映像コンテンツ情報テーブルを例示した図である。
【図６】本発明の実施形態に係るコンテンツ関連サーバが有するコンテンツ連携情報テーブルを例示した図である。
【図７】本発明の実施形態に係るコンテンツ関連サーバが有する連携コンテンツ情報テーブルを例示した図である。
【図８】本発明の実施形態に係るコンテンツ配信サーバの構成を示した図である。
【図９】本発明の実施形態に係るコンテンツ配信システムの処理を示す図である。
【発明を実施するための形態】
【００４１】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４２】
以下、図１から図９を用いて、本発明の実施形態に係るコンテンツ配信システムについて説明する。
【００４３】
＜コンテンツ配信システムの構成＞
本実施形態に係るコンテンツ配信システムは、図１に示すように、映像再生装置１００と、端末２００と、コンテンツ関連サーバ３００と、コンテンツ配信サーバ４００とから構成されている。本発明は、映像再生装置１００と端末２００とが同じネットワーク内に存在するときに、自動的にセッションを開始し、映像再生装置１００は、セッション内で、再生中の映像コンテンツの切り替わりを検出し、再生中の映像コンテンツの切り替わりを検出したときに、切り替わった映像コンテンツの関連情報を端末２００に送信する。端末２００は、映像再生装置１００から切り替わった映像コンテンツの関連情報を受信し、受信した切り替わった映像コンテンツの関連情報に基づいて、連携コンテンツ情報をコンテンツ関連サーバ３００から検索して、検索した連携コンテンツ情報を取得し、取得したコンテンツ情報に基づいて、コンテンツ配信サーバ４００から連携コンテンツを取得するものである。なお、取得した連携コンテンツは、図示しないコンテンツ再生部により、再生される。
【００４４】
＜映像再生装置の構成＞
本実施形態に係る映像再生装置は、図２に示すように、通信部１１０と、切替検出部１２０と、送信部１４０とから構成されている。
【００４５】
通信部１１０は、端末２００と同じネットワーク内に存在するときに、自動的にセッションを開始するものであり、セッション確立の通信プロトコルとしては、例えば、無線ＬＡＮやＢｌｕｅｔｏｏｔｈ（登録商標）などを使用することができる。また、無線ＬＡＮの場合には、端末２００の無線ＬＡＮアクセスポイントへの参加が必要となる。セッション確立には、ＵＰｎＰ（登録商標）などのＥｔｈｅｒｎｅｔ（登録商標）ブロードキャストを使った通信相手のディスカバリ機能を有する通信プロトコル等や、ＤＤＳ（Ｄａｔａ  Ｄｉｓｔｒｉｂｕｔｉｏｎ  Ｓｅｒｖｉｃｅ）などでのパブリッシュ−サブスクライブモデルのデータバス的な通信プロトコルが適している。また、通信相手を予め設定しておきクライアント−サーバモデルの通信プロトコルＨＴＴＰ等を利用しても良い。さらに、ゲートウェイなどの装置を用いて、強制的に映像再生装置１００のアドレスへリダイレクトさせる方式でも良い。なお、Ｂｌｕｅｔｏｏｔｈ（登録商標）の場合、予め、映像再生装置１００と端末２００とをペアリングしておくか、近距離通信などでセッションを確立する。
【００４６】
切替検出部１２０は、セッション内で、再生中の映像コンテンツの切り替わりを検出する。
【００４７】
送信部１４０は、再生中の映像コンテンツの切り替わりを検出したときに、切り替わった映像コンテンツの関連情報を端末２００に送信する。
【００４８】
＜端末の構成＞
本実施形態に係る端末は、図４に示すように、通信部２１０と、受信部２２０と、検索部２３０と、コンテンツ情報取得部２４０と、連携コンテンツ取得部２５０とから構成されている。なお、通信部２１０の機能は、上記の通信部１１０の機能と同様であるため、詳細な説明は、省略する。
【００４９】
受信部２２０は、映像再生装置１００から切り替わった映像コンテンツの関連情報を受信する。検索部２３０は、受信した切り替わった映像コンテンツの関連情報に基づいて、連携コンテンツ情報をコンテンツ関連サーバ３００から検索する。図示しない表示部に検索した連携コンテンツ情報を表示し、ユーザにどの連携コンテンツを実行するか図示しない入力装置で選択させる。コンテンツ情報取得部２４０は、検索した連携コンテンツ情報をコンテンツ関連サーバ３００から取得する。連携コンテンツ取得部２５０は、取得したコンテンツ情報に基づいて、コンテンツ配信サーバ４００から連携コンテンツを取得する。
【００５０】
＜コンテンツ関連サーバの構成＞
本実施形態に係るコンテンツ関連サーバは、図５に示すように、受信部３１０と、映像コンテンツ情報テーブル３２０、コンテンツ連携情報テーブル３３０と、連携コンテンツ情報テーブル３４０と、送信部３５０とから構成されている。
【００５１】
受信部３１０は、端末２００から連携コンテンツの検索要求を受信する。
映像コンテンツ情報テーブル３２０は、映像ＩＤ、タイトル、提供者、検索のための情報等を関連付けて格納するデータテーブルである。例えば、図５に示すように、映像ＩＤ「Ｅ００１」の映像のタイトルは、「クイズ００１」であり、提供者は、「００１社」であって、検索のための情報としては、「リアルタイム方法の場合、そのチャンネルと放送時間。インターネットコンテンツの場合、再生中のＵＲＬと再生位置情報。録画コンテンツ（ＤＶＤや電子看板等）の場合、そのコンテンツＩＤとタイトル、チャプタ、再生位置時刻情報等」が関連付けて記憶されている。
【００５２】
コンテンツ連携情報テーブル３３０は、映像ＩＤと連携コンテンツＩＤとを関連付けて記憶する。具体的には、図６に示すように、映像ＩＤ「Ｅ００１」に対して、連携コンテンツＩＤ「Ｃ００１」が、映像ＩＤ「Ｅ００２」に対して、連携コンテンツＩＤ「Ｃ００１」が対応付けて記憶されている。
【００５３】
連携コンテンツ情報テーブル３４０は、連携コンテンツＩＤと、タイトル、提供者、ＡＰＬ（アプリケーション）ダウンロード情報、ＡＰＬ（アプリケーション）データ情報等を関連付けて格納する。具体的には、図７に示すように、連携コンテンツＩＤ「Ｃ００１」に対しては、タイトル「００１クイズアプリ」、提供者「００１社」、ＡＰＬダウンロード情報「ＵＲＬなど」、ＡＰＬデータ情報「ＵＲＬなど」が関連付けて記憶され、連携コンテンツＩＤ「Ｃ００２」に対しては、タイトル「ＡＢＣショッピングアプリ」、提供者「（株）ａｂｃｄｅ社」、ＡＰＬダウンロード情報「ＵＲＬなど」、ＡＰＬデータ情報「ＵＲＬなど」が関連付けて記憶されている。
【００５４】
したがって、端末２００から受信したタイトルや提供者の情報をキーに図示しない制御部が映像ＩＤを検索する。次に、映像ＩＤをキーとして、コンテンツ連携情報テーブル３３０から連携コンテンツＩＤを検索する。次に、連携コンテンツＩＤをキーとして、連携コンテンツ情報テーブルから、連携コンテンツのＡＰＬダウンロード情報、ＡＰＬデータ情報などの連携コンテンツ情報を検索する。そして、１つの映像コンテンツに対し、複数の連携コンテンツ情報を得られるので、ユーザはダウンロードしたい連携コンテンツを選択する。
【００５５】
送信部３５０は、図示しない制御部が検索したＡＰＬダウンロード情報、ＡＰＬデータ情報等のアクセス情報を端末２００に送信する。
【００５６】
＜コンテンツ配信サーバの構成＞
本実施形態に係るコンテンツ配信サーバは、図８に示すように、受信部４１０と、連携コンテンツ情報記憶部４２０と、送信部４３０とから構成されている。
【００５７】
受信部４１０は、端末２００から連携コンテンツの取得要求（例えば、ＵＲＬによるｈｔｔｐアクセス）を受信する。送信部４３０は、端末２００に対して、連携コンテンツ情報記憶部４２０に記憶されている連携コンテンツ情報を送信する。
【００５８】
＜コンテンツ配信システムの処理＞
図９を用いて、本実施形態に係るコンテンツ配信システムの処理について説明する。
【００５９】
まず、映像再生装置１００と端末２００とが同じネットワーク内に存在するときに、自動的にセッションを開始する（ステップＳ１０１）。映像再生装置１００は、セッション内で、再生中の映像コンテンツの切り替わりを検出し（ステップＳ１０２）、再生中の映像コンテンツの切り替わりを検出したときに、切り替わった映像コンテンツの関連情報を端末２００に送信する（ステップＳ１０３）。
【００６０】
端末２００は、映像再生装置１００から切り替わった映像コンテンツの関連情報を受信し（ステップＳ１０４）、受信した切り替わった映像コンテンツの関連情報に基づいて、連携コンテンツ情報をコンテンツ関連サーバ３００から検索する（ステップＳ１０５）。そして、検索した連携コンテンツ情報を取得し（ステップＳ１０６）、取得したコンテンツ情報に基づいて、コンテンツ配信サーバ４００から連携コンテンツを取得する（ステップＳ１０７）。
【００６１】
以上、説明したように、本実施形態によれば、端末が映像再生装置と同じネットワークに参加するだけで、ユーザの手を煩わせることなく、再生中の映像コンテンツに対応するコンテンツを端末でダウンロードすることができる。また、映像コンテンツに関連するコンテンツを映像コンテンツ作成と同時に製作する必要がないため、映像コンテンツに対応するコンテンツは誰でも作成できることからバラエティが広がる。さらに、家庭内ＴＶだけでなく、学校のクラス内のＴＶや、街頭のＴＶや電子看板、各種店内のＴＶなど、人の集まる場所で映像に対するコンテンツを配信できる。
【００６２】
なお、映像再生装置、端末、コンテンツ関連サーバおよびコンテンツ配信サーバの処理をコンピュータ読み取り可能な記録媒体に記録し、この記録媒体に記録されたプログラムを映像再生装置、端末、コンテンツ関連サーバおよびコンテンツ配信サーバに読み込ませ、実行することによって本発明のコンテンツ配信システムを実現することができる。ここでいうコンピュータシステムとは、ＯＳや周辺装置等のハードウェアを含む。
【００６３】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００６４】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６５】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６６】
１００；映像再生装置
１１０；通信部
１２０；切替検出部
１３０；コンテンツ情報テーブル
１４０；送信部
２００；端末
２１０；通信部
２２０；受信部
２３０；検索部
２４０；コンテンツ情報取得部
２５０；連携コンテンツ取得部
３００；コンテンツ関連サーバ
３１０；受信部
３２０；連携コンテンツ情報テーブル
３３０；送信部
４００；コンテンツ配信サーバ
４１０；受信部
４２０；コンテンツ連携情報テーブル
４３０；送信部
【図１】
2012199846.tif 000003
【図２】
2012199846.tif 000004
【図３】
2012199846.tif 000005
【図４】
2012199846.tif 000006
【図５】
2012199846.tif 000007
【図６】
2012199846.tif 000008
【図７】
2012199846.tif 000009
【図８】
2012199846.tif 000010
【図９】
2012199846.tif 000011